(57)【特許請求の範囲】
【請求項１】
弾性のグロメット本体の端部に一対の膨出部が設けられ、該端部の内側に装着される補強インナーに一対のロックアームが設けられ、該ロックアームの自由端側に操作部が延長形成され、該操作部が該膨出部内に進入し、該操作部の先端が該膨出部の押圧用の壁部に近接して配置され、該ロックアームの係止用の爪部の係止面に続いて突起が設けられ、該操作部の先端が該押圧用の壁部の外側から取付側のパネルに向けて押圧されて、該ロックアームがパネル孔に嵌合し、該爪部が該パネル孔の周縁に係止される際に、該突起が該パネル孔の内周面に該ロックアームの弾性力で衝接して嵌合音を発生することを特徴とする補強インナー付き防水グロメット。
【請求項２】
前記突起における前記爪部の係止面とは離間する側の端部に傾斜面が形成され、該傾斜面が前記ロックアームの操作部寄りの外面に交差して続いたことを特徴とする請求項１記載の補強インナー付き防水グロメット。
【請求項３】
前記操作部の外面が前記膨出部の外側壁に近接して配置され、該操作部の外面が該膨出部の外側壁の外側から内向きに押圧されて、前記パネル孔への前記ロックアームの嵌合が解除されることを特徴とする請求項１又は２記載の補強インナー付き防水グロメット。
【発明の詳細な説明】
【技術分野】
【０００１】
本発明は、車両等のパネル孔にワイヤハーネスを挿通させる際に、防水用の弾性のグロメット本体の端部の内側に硬質の補強インナーを装着した状態で、パネル孔に嵌合させる補強インナー付き防水グロメットに関するものである。
【背景技術】
【０００２】
従来、合成ゴム製の弾性のグロメット本体の内側に合成樹脂製の硬質の補強インナーを嵌合して、自動車のパネル孔へのグロメット本体の密着性や固定性を高めるために、種々の補強インナー付き防水グロメットが提案されている。
【０００３】
例えば、特許文献１には、図５に示す如く、弾性のグロメット本体５２の大径環状の端部５３内に樹脂インナー５４を嵌合し、樹脂インナー５４の鍔部５５の径方向内側の孔部５６内に端部５３の突起５７を係止させ、孔部５６に樹脂インナー５４のロックアーム５８の先端５８ａを対向させ、ロックアーム５８の爪部５９をパネル６０の孔部６０ａに係止させると共に、端部５３のリップ６１をパネル面６０に密着させる補強インナー付き防水グロメット５１が記載されている。
【０００４】
特許文献１には、従来技術として（図示せず）、上記孔部５６や突起５７を設けることなく、樹脂インナー（５４）の鍔部（５５）をグロメット本体（５２）の大径環状の端部（５３）内に直接嵌合させた構成の補強インナー付き防水グロメットが記載されている。上記孔部５６と突起５７との係合によって、グロメット本体５２への樹脂インナー５４の固定力が高められている。
【０００５】
また、特許文献２（図示せず）には、合成樹脂製のインナー部材に、パネル孔への係止用ロックの他に目印用ロックを設けて、グロメット本体であるアウター部材をパネル面に密着させると同時に目印用ロックを目視して、パネルへの嵌合確認を行わせる補強インナー付き防水グロメットが記載されている。
【先行技術文献】
【特許文献】
【０００６】
【特許文献１】特開２００３−１１１２５１号公報（図４，図７）
【特許文献２】特開２００４−２１５３３４号公報（図１，図４）
【発明の概要】
【発明が解決しようとする課題】
【０００７】
しかしながら、上記従来の特許文献１（図５）の補強インナー付き防水グロメット５１にあっては、ロックアーム５８の先端（自由端）５８ａがグロメット本体５２の端部５３の押圧面５３ａよりも寸法Ｈ1だけ低い位置にあるために、作業者が手指６２でロックアーム５８を押すことができず、ロックアーム５８の爪部５９がパネル孔６０ａの周縁に完全に嵌合（係止）したか否かを作業者が音等で確認し難いという懸念があった。
【０００８】
特許文献１の従来技術に記載された補強インナー付き防水グロメットにあっては、グロメット本体（５２）の端部（５３）の外側からインナー部材（５４）の鍔部（５５）を押すことができるが、この場合もロックアーム５８が鍔部（５５）から略Ｊ字ないしＵ字状に屈曲した外側に形成されているので、ロックアーム（５８）を直接押すことができず、上記同様にロックアーム（５８）の爪部（５９）がパネル孔（６０ａ）の周縁に完全に嵌合（係止）したか否かを作業者が確認し難いという懸念があった。
【０００９】
また、特許文献１の上記各補強インナー付き防水グロメット５１にあっては、ロックアーム５８がグロメット本体５２の端部５３とインナー部材５４の鍔部５５との内側に位置するために、パネル孔６０ａへのロックアーム５８の係止を外部から解除する作業が面倒であるという懸念があった。
【００１０】
また、特許文献２の補強インナー付き防水グロメットにあっては、作業者が目視で目印用ロックを確認しなければならず、目視作業の手間がかかると共に、自動車等の狭いスペース内では目視確認が難しいという懸念があった。
【００１１】
本発明は、上記した点に鑑み、パネル孔に補強インナーのロック部を簡単且つ確実に嵌合させることができ、それに加えて、パネル孔へのロック部の嵌合を手間をかけずに簡単且つ確実に確認することができ、それに加えて、パネル孔へのロックアームの係止を外部から容易に解除することのできる補強インナー付き防水グロメットを提供することを目的とする。
【課題を解決するための手段】
【００１２】
上記目的を達成するために、本発明の請求項１に係る補強インナー付き防水グロメットは、弾性のグロメット本体の端部に一対の膨出部が設けられ、該端部の内側に装着される補強インナーに一対のロックアームが設けられ、該ロックアームの自由端側に操作部が延長形成され、該操作部が該膨出部内に進入し、該操作部の先端が該膨出部の押圧用の壁部に近接して配置され、該ロックアームの係止用の爪部の係止面に続いて突起が設けられ、該操作部の先端が該押圧用の壁部の外側から取付側のパネルに向けて押圧されて、該ロックアームがパネル孔に嵌合し、該爪部が該パネル孔の周縁に係止される際に、該突起が該パネル孔の内周面に該ロックアームの弾性力で衝接して嵌合音を発生することを特徴とする。
【００１３】
上記構成により、補強インナーのロックアームの延長された操作部がグロメット本体の膨出部内に位置し、作業者が手指で膨出部の押圧用の壁部をパネルへのグロメットの取付方向に押圧することで、押圧用の壁部に近接した操作部の先端（自由端）が押圧用の壁部の壁部を介して手指で押圧され、操作部と一体のロックアームがパネル孔に確実に嵌合する。
【００１５】
また、ロックアームの爪部がパネル孔の内周面に乗り上げつつロックアームが内向きに撓み、爪部がパネル孔を貫通すると同時にロックアームが弾性的に外向きに復元し、その際、突起の突出高さの分だけロックアームが弾性力を維持した状態で、突起がパネル孔の内周面に衝接して嵌合音を発生する。作業者は嵌合音を耳で感知して及び／又は振動を手指で感知して、ロックアームの完全嵌合を確実に検知する。
【００１６】
請求項２に係る補強インナー付き防水グロメットは、請求項１記載の補強インナー付き防水グロメットにおいて、前記突起における前記爪部の係止面とは離間する側の端部に傾斜面が形成され、該傾斜面が前記ロックアームの操作部寄りの外面に交差して続いたことを特徴とする。
【００１７】
上記構成により、突起の端部が傾斜面の分だけ短くなり、突起がパネル孔の内周面に摺接する距離が短縮されて摺接に起因する摩擦抵抗が低減され、突起の端部とパネル孔の内周面との引っ掛かりが防止されて、ロックアームがパネル孔にスムーズに嵌合する。
【００１８】
請求項３に係る補強インナー付き防水グロメットは、請求項１又は２記載の補強インナー付き防水グロメットにおいて、前記操作部の外面が前記膨出部の外側壁に近接して配置され、該操作部の外面が該膨出部の外側壁の外側から内向きに押圧されて、前記パネル孔への前記ロックアームの嵌合が解除されることを特徴とする。
【００１９】
上記構成により、パネルに補強インナー付き防水グロメットを嵌合させた状態から、作業者が手指でグロメット本体の膨出部の外側壁を径方向内向きに押圧することで、外側壁に近接したロックアームの操作部が内向きに押圧されて、ロックアームが内向きに撓み、爪部がパネル孔から内向きに離脱して、パネル孔へのロックアームの嵌合が解除される。
【発明の効果】
【００２０】
請求項１記載の発明によれば、補強インナーのロックアームの延長部分である操作部の先端をグロメット本体の膨出部の押圧用の壁部を介して作業者がパネル方向に押圧することができるから、ロックアームをパネル孔に簡単且つ確実に嵌合させることができる。これにより、パネル孔へのロックアームの嵌合不良が防止されて、嵌合不良に伴うグロメット内への水の浸入が防止される。
【００２１】
また、パネル孔へのロックアームの嵌合と同時に、ロックアームの弾性力で突起をパネル孔の内周面に衝接させることで、その嵌合音ないし振動で作業者がロックアームの嵌合を簡単且つ確実に検知することができる。これにより、パネル孔へのロックアームの嵌合不良を一層確実に防止することができる。
【００２２】
請求項２記載の発明によれば、パネル孔にロックアームの突起を無用な引っ掛かり等なくスムーズに嵌合させることができる。
【００２３】
請求項３記載の発明によれば、グロメット本体の膨出部の外側壁を外部から内向きに押圧することで、ロックアームの操作部をロック解除方向に撓ませて、簡単且つ確実にパネル孔へのロックアームの嵌合係止を解除することができる。
【図面の簡単な説明】
【００２４】
【図１】本発明に係る補強インナー付き防水グロメットの一実施形態を示す斜視図である。
【図２】補強インナー付き防水グロメットの要部を示す図１のＡ−Ａ断面図（枠内は要部拡大図）である。
【図３】補強インナー付き防水グロメットをパネル孔に装着する状態を示す縦断面図である。
【図４】補強インナー付き防水グロメットをパネル孔から離脱させる状態を示す縦断面図である。
【図５】従来の補強インナー付き防水グロメットの一形態の要部を示す縦断面図である。
【発明を実施するための形態】
【００２５】
図１〜図４は、本発明に係る補強インナー付き防水グロメットの一実施形態を示すものである。
【００２６】
図１の如く、この補強インナー付き防水グロメット１は、合成ゴム製の弾性のグロメット本体２と、グロメット本体２の中間の可撓性の蛇腹部４に続く一端部（端部）５に嵌合した合成樹脂製の硬質の補強インナー３（図２）とで構成されている。
【００２７】
グロメット本体２の一端部５は、平面視で長円形状の中空鍔状の嵌合部６と、嵌合部６の短手（幅）方向中央の中空の突壁８の上面に一体に突出形成された弾性（可撓性）の膨出部９と、膨出部９の幅方向（左右）両側に一体に連通形成された一対の低い弾性（可撓性）の膨出部１０と、嵌合部６の下面から斜め下向きに突出形成された弾性環状のリップ部１１とを備えている。
【００２８】
嵌合部６は中央の突壁８と左右の一段低い鍔壁７とで成る。中央の膨出部（膨出壁）９は縦断面略半円状ないし略台形状に形成されて（図２参照）、突壁８の長手方向に沿って水平に延び、嵌合部６の後方において短い筒状部１２となって蛇腹部４に一体に続いている。蛇腹部４に続く不図示の他端部は平面視で長円形状の中空鍔状の嵌合部で構成されている。
【００２９】
図２にも示す如く、左右の膨出部１０は中央の膨出部９よりも低く、縦断面略横Ｌ字状（略矩形状）に形成され、左右の膨出部１０の水平な上壁部（押圧用の壁部）１０ａが中央の膨出部９の傾斜状の側壁部９ａに交差し、垂直な側壁部（外側壁）１０ｂが嵌合部６の鍔壁７に交差し、前後の壁部１０ｃ（図１）が鍔壁７と中央の突壁８とに交差して、それぞれ一体に続いている。鍔壁７の後部７ａは短い筒状部１２に交差して一体に続いている。嵌合部６の下面の外周寄りの環状のリップ部１１が車両の水平なパネル１３に密着して、防水グロメット１内及びパネル孔１３ａ（図２）内への水の浸入を防いでいる。
【００３０】
嵌合部６内に嵌合した補強インナー３の一部である周壁１４の下半部がパネル孔１３ａ（図２）から下向きに突出している。補強インナー３の周壁１４の下端には不図示のワイヤハーネス（複数本の電線）をテープ巻きで固定する板部１５（図１）が下向きに突設されている。
【００３１】
本例の防水グロメット１は例えば自動車のドアとボディとの間に配置され、ドア又はボディのパネル孔１３ａに補強インナー３が嵌合してパネル孔１３ａをグロメット本体２の一端部５（図１）が塞ぐ。なお、明細書で上下前後左右の方向性は説明の便宜上のものであり、必ずしも防水グロメット１の取付方向と一致するとは限らない。
【００３２】
図２（図１のＡ−Ａ断面図）の如く、グロメット本体２の嵌合部６の鍔壁７は、水平な（パネル１３と平行な）上側の壁部７ａと、上側の壁部７ａに直交した垂直な側部周壁７ｂと、側部周壁７ｂに直交した下側の壁部７ｃとで断面略コの字状に形成され、内側に補強インナー３の水平な鍔部１６を嵌合させる環状の溝部空間１７を有し、下側の壁部７ｃは補強インナー３の周壁１４を下から上に挿通させる長円形の孔部１８を有している。この形状は鍔壁７のみならず前部中央の突壁８（図１）等においても同様である。
【００３３】
鍔壁７の上壁部７ａに左右の低い膨出部１０の側壁１０ｂが直交して続き、左右の膨出部１０の上壁１０ａの間に中央の高い膨出部９が一体に続いている。左右の低い膨出部１０は中央の高い膨出部９で相互に連結されている。各上壁部１０ａに中央の膨出部９の左右の傾斜壁部９ａが続き、左右の傾斜壁部９ａの間に中央の膨出部９の水平な上壁部９ｂが左右の上壁部１０ａよりも一段高く位置している。
【００３４】
補強インナー３すなわちグロメット本体２の一端部５を補強するためのインナー部材３は、一端部５の形状に合わせた横断面長円形の環状（筒状）の周壁１４と、周壁１４の上端において外向きに突出形成された水平な鍔部１６と、周壁１４の左右両側において縦（上下）方向の各一対のスリット１９の間に切欠形成された一対の可撓性（弾性）のロックアーム２０と、各ロックアーム２０から一体に鍔部１６よりも高く上向きに延長形成された各操作部２１とを備えるものである。
【００３５】
鍔部１６は上側の幅広部１６ａと下側の幅狭部１６ｂとで段差状に形成され、鍔部１６の左右両側に各ロックアーム２０を上向きに通過させる切欠部（切欠面）１６ｃが形成されている。鍔部１６はグロメット本体２の嵌合部６の周溝１７内に嵌合し、上側の幅広部１６ａが鍔壁７の上壁部７ａに接し、下側の幅狭部１６ｂが鍔壁７の下壁部７ｃに接する。
【００３６】
各ロックアーム２０は長手（上下）方向中間部に外向きの爪部２２を有し、爪部２２は下向きの傾斜面２２ａ（図２の拡大図）と上向きの水平な係止面２２ｂとを有して断面略三角形状に形成されている。各ロックアーム２０の付根（基端ないし下端）２０ａは爪部２２よりも下方に位置し（爪部２２と周壁１４の下端との略中間に位置し）、各ロックアーム２０の自由端（上端）は操作部２１の上端２１ａとなっている。操作部２１はロックアーム２０を上向きに一体に延長させた部分である。爪部２２を境に操作部２１を含むロックアーム２０の上半部は周壁１４よりも少し径方向外側に位置している。図２でロックアーム２０の上半部の径方向内側に周壁１４の内面１４ａが位置している。
【００３７】
各ロックアーム２０の操作部２１はグロメット本体２内において鍔壁７の上面７ａ'から寸法Ｈだけ上側に突出している。各操作部２１はグロメット本体２の低い各膨出部１０内に進入し、各操作部２１の上端（先端）２１ａが各膨出部１０の上壁１０ａの下面（内面）１０ｄに近接して位置し、各操作部２１の外面２１ｂが各膨出部１０の側壁１０ｂの内面１０ｂ'に近接して位置している。
【００３８】
一対の操作部２１の内側にはグロメット本体２の左右の膨出部１０の空間２３とそれに続く中央の膨出部９の空間２４が位置している。中央の膨出部９の内側空間２４を通って不図示のワイヤハーネスが直交方向に屈曲されつつ水平な蛇腹部４と垂直な周壁１４との内側空間２５に挿通される。一対の操作部２１は左右の低い膨出部１０の空間２３内でロックアーム２０と一体に内向きに撓み可能である。
【００３９】
ロックアーム２０の爪部２２の上側すなわち爪部２２の係止面２２ｂ（拡大図）に交差ないし直交してロック時嵌合音発生用の突起２６が一体に設けられている。ロックアーム２０は爪部２２と、爪部２２の係止面２２ｂ側に続く突起２６とを一体に有している。
【００４０】
突起１６の水平方向への突出高さｈ（拡大図）は爪部２２の突出高さよりも低く、爪部２２の突出先端２２ｃから水平方向への係止面２２ｂの長さは同じく傾斜面２２ａの長さの半分程度の位置で終端し、係止面２２ｂに直交して突起２６の垂直な外面２６ａが続き、突起２６は上端部において外面２６ａの上側に続く上向きの傾斜面２６ｂを有し、傾斜面２６ｂはロックアーム２０の上半部の外面２０ｂに交差して続いている。
【００４１】
傾斜面２６ｂの少し上側においてグロメット本体２の嵌合部６の水平な下壁部７ｃの孔部１８の垂直な内周面（符号１８で代用）が補強インナー３の垂直な周壁１４の外面とロックアーム２０の外面２０ｂとに接触（密着）し、下壁部７ｃから斜め外側下向きに突出したリップ部１１がパネル１３の上面に弾性的に接触（密着）している。
【００４２】
図２の拡大図に鎖線１３ａ’と寸法Ｗで示す如く、ロックアーム２０の爪部２２がパネル孔１３ａの周縁に嵌合した際に、パネル孔１３ａの内周面があたかも突起２６の内側に食い込むかのように位置し（実際には食い込まないが）、ロックアーム２０の外向きの弾性力（復元力）で突起２６の垂直な外面２６ａがパネル孔１３ａの内周面に強く衝接して嵌合音を発生する。
【００４３】
これにより、作業者が音と振動で、補強インナー３がパネル孔１３ａに完全にロックされたことを容易に且つ確実に検知することができる。パネル１３は爪部２２とリップ部１１とで上下方向（パネル板厚方向）に挟まれてしっかりと固定される。
【００４４】
突起２６の上側の傾斜面２６ｂは、グロメット本体２の嵌合部６の鍔壁７の孔部１８に接近して孔部１８の少し下側に位置する。例えば、鍔壁７内の鍔部１６の上下方向のガタ付き等で補強インナー３が上向きに位置ずれして、傾斜面２６ｂが孔部１８内に入り込んだとしても（その心配は殆どないが）、弾性の孔部１８の径方向内向きの緊迫力で傾斜面２６ｂが下向きに押し出されることで、パネル１３に対するリップ部１１の締め代（密着代）が適正に維持される。
【００４５】
また、防水グロメット１の補強インナー３の周壁１４を上から下向きにパネル孔１３ａに挿通させる際に、パネル孔１３ａに沿ってロックアーム２０が内向きに撓みつつ爪部２２が通過し、ロックアーム２０の復元と同時に突起２６がパネル孔１３ａに弾性的に嵌合するが、突起２６の上端部に傾斜面２６ｂを設けて突起２６の外面２６ａを上下方向に短く形成したから、例えば補強インナー３を下向きに強く押圧し過ぎた場合に、パネル孔１３ａの内周面が突起２６の端部に誤嵌合したり、突起２６の端部に引っ掛かって嵌め難くなることが防止される。
【００４６】
パネル孔１３ａに突起２６の傾斜面２６ｂを係合させた場合は、パネル１３に対するリップ部１１の下向きの押圧力（弾性力）で補強インナー３が引き上げられて突起２６の外面２６ａがパネル孔１３ａに自動的に正規嵌合する。
【００４７】
図３の如く、補強インナー付き防水グロメット１をパネル孔１３ａに嵌合させる際には、作業者が二本の手指２９でグロメット本体２の左右の膨出部１０をパネル１３に向けて下向きに押すことで、各膨出部１０の下側に先端（上端）２１ａを接近させた補強インナー３の左右の操作部２１が各膨出部１０を介して下向きに押圧されるから、操作部２１と一体のロックアーム２０を確実に押してパネル孔３ａに爪部２２を確実に係止（ロック）させることができる。
【００４８】
操作部２１はロックアーム２０の長手方向の延長上にあり、パネル孔１３ａへの補強インナー３の嵌合方向はロックアーム２０の長手方向に一致しているので、手指２９の押圧力が操作部２１からロックアーム２０に確実に伝播され、ロックアーム２０の長手方向中間の爪部２２がパネル孔１３ａに確実に係合（係止）される。
【００４９】
図４の如く、パネル孔１３ａへのロックアーム２０の係止を解除する場合は、作業者が二本の手指２９でグロメット本体２の左右の膨出部１０を径方向内向きにやや強めに摘むことで、膨出部１０の側壁１０ｂの内面１０ｂ’に近接した操作部２１の外面２１ｂが側壁１０ｂの外側から内向きに押されて撓み、ロックアーム２０が内向きに撓んで、爪部２２がパネル孔１３ａから内側に外れて、係止解除される。このようにして補強インナー付きグロメット１をパネル１３から容易に取り外すことができ、メンテナンス性等が高まる。
【産業上の利用可能性】
【００５０】
本発明に係る補強インナー付き防水グロメットは、例えば自動車のフロントドアやリヤドアあるいはバックドアのパネル孔や、車両ボディのパネル孔に補強インナーのロックアームを確実に係止させて、パネルへの防水グロメットの装着の信頼性を高めると共に、簡単な作業でロックアームの係止を解除させて、メンテナンス性や分解性を高めるために利用することができる。
【符号の説明】
【００５１】
１      補強インナー付き防水グロメット
２      グロメット本体
３      補強インナー
５      端部
１０    膨出部
１０ａ  上壁部（押圧用の壁部）
１０ｂ  外側壁
１３    パネル
１３ａ  パネル孔
２０    ロックアーム
２０ｂ  外面
２１    操作部
２１ａ  先端
２１ｂ  外面
２２    爪部
２２ｂ  係止面
２６    突起
２６ｂ  傾斜面
【図１】
0005800632.tif 000002
【図２】
0005800632.tif 000003
【図３】
0005800632.tif 000004
【図４】
0005800632.tif 000005
【図５】
0005800632.tif 000006